(57)【要約】【課題】止水部材の組み付け作業性を向上させることができるシールドコネクタの止水構造を提供する。【解決手段】  シールドコネクタ１の止水構造１００は、リアホルダ３が、シールドシェル５のコネクタ抜去方向の端部の内周面と対向する位置に配置される本体部３Ａと、本体部３Ａからコネクタ抜去方向に電線２に沿って、電線２と編組体６との間を突出するように形成される突出部３Ｂとを有する。編組体６は、コネクタ挿入方向の端部が接続部１０に達するまでに突出部３Ｂの外周面を覆うように配置される。テープ８は、編組体６に、少なくともリアホルダ３のコネクタ抜去方向の端部から接続部１０までの間で覆うように螺旋状に巻き付けられる。【選択図】図１
2018055800.tif 000002
【特許請求の範囲】
【請求項１】
一方の端末に端子が圧着された少なくとも１つの電線と、
前記電線を挿通状態で保持する電線保持部材と、
内側に前記端子を含む前記電線を保持し、かつ、前記電線保持部材をコネクタ挿入方向の端部で係止する絶縁性材料から成るハウジングと、
内側に前記端子を含む前記電線の一部が収容され、かつ、前記コネクタ挿入方向側の一部が前記ハウジングに埋設されると共に、前記コネクタ挿入方向と逆向きのコネクタ抜去方向の内周側に前記電線保持部材の一部が収容される筒状のシールドシェルと、
内側に前記端子を含む前記電線の一部が収容され、かつ、前記シールドシェルに対して電気的に接続される筒状の編組体と、
前記シールドシェルと前記編組体とが接続する接続部を外周側から縮径方向に固定するシールドリングと、
前記ハウジングおよび前記シールドシェルの内側への水の浸入を抑える止水部材と、
を備え、
前記電線保持部材は、前記シールドシェルのコネクタ抜去方向の端部の内周面と対向する位置に配置される本体部と、
前記本体部から前記コネクタ抜去方向に前記電線に沿って、前記電線と前記編組体との間を突出するように形成される突出部とを有し、
前記編組体は、前記コネクタ挿入方向の端部が前記接続部に達するまでに前記突出部の外周面を覆うように配置され、
前記止水部材は、前記編組体に、少なくとも前記突出部の前記コネクタ抜去方向の端部から前記接続部までの間で覆うように螺旋状に巻き付けられる、
ことを特徴とするシールドコネクタの止水構造。
【請求項２】
前記電線保持部材は、さらに、
前記突出部の前記外周面として、前記突出部の前記コネクタ抜去方向の端部から前記コネクタ挿入方向に向かって拡がるように傾斜する傾斜面を有する、
請求項１に記載のシールドコネクタの止水構造。
【請求項３】
前記電線保持部材は、さらに、
前記本体部の前記コネクタ抜去方向の端部が前記傾斜面の前記コネクタ挿入方向の端部より縮径方向に位置するように形成され、
前記シールドリングは、前記傾斜面の前記コネクタ挿入方向の端部から前記コネクタ挿入方向側に配置される、
請求項２に記載のシールドコネクタの止水構造。
【発明の詳細な説明】
【技術分野】
【０００１】
本発明は、シールドコネクタの止水構造に関する。
【背景技術】
【０００２】
従来、シールドコネクタは、合成樹脂製のハウジングに金属製の筒状のシールドシェルを設けることによって、シールドシェルの内側に収容される端子や電線から放射されるノイズをシールドシェルの内側に閉じ込めることが可能である。シールドシェルの内側に収容される電線は、金属等で筒状に編み込まれた編組体で被覆されている。この編組体は、シールドコネクタ内でシールドシェルと電気的に接続される。
【０００３】
ところで、シールドコネクタは、電線の出口部の止水構造として、例えばゴム製ブーツが組み付けられているものがある（特許文献１参照）。
【先行技術文献】
【特許文献】
【０００４】
【特許文献１】特開２０１６−３２３８７号公報
【発明の概要】
【発明が解決しようとする課題】
【０００５】
しなしながら、上述したシールドコネクタでは、止水部材であるゴム製ブーツを組み付ける際に、当該ゴム製ブーツの開口部を広げる作業を行わなければならず、組み付け作業性に改善の余地がある。
【０００６】
本発明は、止水部材の組み付け作業性を向上させるシールドコネクタの止水構造を提供することを目的とする。
【課題を解決するための手段】
【０００７】
上記目的を達成するために、本発明に係るシールドコネクタの止水構造は、一方の端末に端子が圧着された少なくとも１つの電線と、前記電線を挿通状態で保持する電線保持部材と、内側に前記端子を含む前記電線を保持し、かつ、前記電線保持部材をコネクタ挿入方向の端部で係止する絶縁性材料から成るハウジングと、内側に前記端子を含む前記電線の一部が収容され、かつ、前記コネクタ挿入方向側の一部が前記ハウジングに埋設されると共に、前記コネクタ挿入方向と逆向きのコネクタ抜去方向の内周側に前記電線保持部材の一部が収容される筒状のシールドシェルと、内側に前記端子を含む前記電線の一部が収容され、かつ、前記シールドシェルに対して電気的に接続される筒状の編組体と、前記シールドシェルと前記編組体とが接続する接続部を外周側から縮径方向に固定するシールドリングと、前記ハウジングおよび前記シールドシェルの内側への水の浸入を抑える止水部材と、を備え、前記電線保持部材は、前記シールドシェルのコネクタ抜去方向の端部の内周面と対向する位置に配置される本体部と、前記本体部から前記コネクタ抜去方向に前記電線に沿って、前記電線と前記編組体との間を突出するように形成される突出部とを有し、前記編組体は、前記コネクタ挿入方向の端部が前記接続部に達するまでに前記突出部の外周面を覆うように配置され、前記止水部材は、前記編組体に、少なくとも前記突出部の前記コネクタ抜去方向の端部から前記接続部までの間で覆うように螺旋状に巻き付けられることを特徴とする。
【０００８】
また、上記シールドコネクタの止水構造において、電線保持部材は、さらに、前記突出部の前記外周面として、前記突出部の前記コネクタ抜去方向の端部から前記コネクタ挿入方向に向かって拡がるように傾斜する傾斜面を有することが好ましい。
【０００９】
また、上記シールドコネクタの止水構造において、前記電線保持部材は、さらに、前記本体部の前記コネクタ抜去方向の端部が前記傾斜面の前記コネクタ挿入方向の端部より縮径方向に位置するように形成され、前記シールドリングは、前記傾斜面の前記コネクタ挿入方向の端部から前記コネクタ挿入方向側に配置されることが好ましい。
【発明の効果】
【００１０】
本発明に係るシールドコネクタの止水構造は、止水部材が、シールドコネクタにおける電線の出口部を覆うように螺旋状に巻き付けられるので、ゴム製ブーツの開口部を広げてシールドコネクタに組み付ける作業を行うことなく、止水部材を組み付けることが可能となり、止水部材の組み付け作業性を向上させることができる。
【図面の簡単な説明】
【００１１】
【図１】図１は、実施形態に係るシールドコネクタの止水構造の外観を示す斜視図である。
【図２】図２は、実施形態に係るシールドコネクタの止水構造の概略構成を示す部分断面図である。
【発明を実施するための形態】
【００１２】
以下に、本発明に係るシールドコネクタの止水構造の実施形態を図面に基づいて詳細に説明する。なお、下記の実施形態により本発明が限定されるものではない。また、下記実施形態における構成要素には、いわゆる当業者が置換可能かつ容易なもの、あるいは実質的に同一のものが含まれる。また、下記の実施形態における構成要素は、発明の要旨を逸脱しない範囲で、種々の省略、置き換え、変更を行うことができる。
【００１３】
［実施形態］
図１、図２を参照して、実施形態に係るシールドコネクタの止水構造について説明する。図１は、実施形態に係るシールドコネクタの止水構造の外観を示す斜視図である。図２は、実施形態に係るシールドコネクタの止水構造の概略構成を示す部分断面図である。なお、図１は、シールドコネクタを構成する雄コネクタを雌コネクタに挿入した状態を示している。
【００１４】
図１および図２に示すシールドコネクタ１は、例えば自動車等の車両に搭載され、シールドされた電線同士またはシールドされた電線と機器とを電気的に接続するコネクタである。シールドコネクタ１は、ハウジング内への水の浸入を防止するための止水構造１００が適用される。シールドコネクタ１は、雄コネクタ２００と雌コネクタ３００とで構成され、雄コネクタ２００のレバー２０１を回動させることで雄コネクタ２００と雌コネクタ３００を低操作力で挿入または抜去させることができる。本実施形態におけるシールドコネクタ１の止水構造１００では、雄コネクタ２００に止水構造１００が適用された場合について説明する。なお、以下の説明において、シールドコネクタ１は、雌コネクタ３００に対する雄コネクタ２００の挿入方向と抜去方向が互いに逆向きになっている。ここでは、雌コネクタ３００に対する雄コネクタ２００の挿入方向を「コネクタ挿入方向」と称し、雌コネクタ３００に対する雄コネクタ２００の抜去方向を「コネクタ抜去方向」と称する。また、これらの双方向の向きを特定しない場合には、これを「コネクタ挿抜方向」と称する。
【００１５】
本実施形態に係るシールドコネクタ１の止水構造１００は、図１および図２に示すように、電線２と、リアホルダ３と、ハウジング４と、シールドシェル５と、編組体６と、シールドリング７と、テープ８と、ゴム栓９とを含んで構成される。
【００１６】
電線２は、端末に雌コネクタ３００側の端子と電気的に接続される端子が圧着されている。この端子は、導電性を有する金属材で構成される。電線２は、複数の素線によって形成される導電性の芯線と、芯線の外周側を覆う絶縁性の被覆部とで構成される。本実施形態では、２本の電線２がシールドコネクタ１の構成部材としてハウジング４に組み付けられている。
【００１７】
リアホルダ３は、絶縁性の合成樹脂等から成り、複数の電線２を挿通状態で保持する電線保持部材である。リアホルダ３は、平行してコネクタ挿抜方向に貫通する２つの電線保持孔３ｃを有する。リアホルダ３は、本体部３Ａと突出部３Ｂとで構成される。本体部３Ａは、シールドシェル５のコネクタ抜去方向の端部の内周面と対向する位置に配置される部分である。本体部３Ａは、内側にハウジング４からコネクタ抜去方向に延在する内周壁４ａを収容する空間部３ａを有する。本体部３Ａは、空間部３ａに収容される内周壁４ａに設けられた係止孔（不図示）に係止爪（不図示）を係止することにより保持される。突出部３Ｂは、本体部３Ａからコネクタ抜去方向に電線２に沿って、電線２と編組体６との間を突出するように形成される部分である。突出部３Ｂは、外周面として、コネクタ抜去方向の端部からコネクタ挿入方向に向かって拡がるように傾斜する傾斜面３ｂを有する。傾斜面３ｂは、電線保持孔３ｃのコネクタ抜去方向の開口からコネクタ挿入方向に向かって拡がるように傾斜する。傾斜面３ｂは、コネクタ抜去方向の端部から外周面のコネクタ抜去方向の端部までを覆うように編組体６が配置される。
【００１８】
また、リアホルダ３は、本体部３Ａのコネクタ抜去方向の端部３ｄが傾斜面３ｂのコネクタ挿入方向の端部３ｅより縮径方向に位置するように形成される。ここでいう縮径方向は、例えば本体部３Ａのコネクタ抜去方向の端部３ｄおよび傾斜面３ｂのコネクタ挿入方向の端部３ｅのコネクタ挿抜方向に直交する方向の断面形状が互い長穴形状で相似形である場合には、長穴形状の中心に向かう方向を意味する。本体部３Ａのコネクタ抜去方向の端部３ｄと傾斜面３ｂのコネクタ挿入方向の端部３ｅとは、周方向に一周するように段差３ｆが形成されている。この段差３ｆは、本体部３Ａのコネクタ抜去方向の端部３ｄより、傾斜面３ｂのコネクタ挿入方向の端部３ｅが、コネクタ挿抜方向と直交する方向で内側から外側に向かって高くなるように形成されている。段差３ｆの高さは、例えば本体部３Ａの外周面にシールドシェル５のコネクタ抜去方向の端部と編組体６とが積層された状態でシールドリング７が取り付けられたときに、当該シールドリング７が編組体６に覆われた段差３ｆを超えてコネクタ抜去方向側に抜けない高さであることが好ましい。
【００１９】
ハウジング４は、合成樹脂等の絶縁性材料で構成されている。本実施形態におけるハウジング４は、内側に端子を含む電線２を保持し、かつ、リアホルダ３をコネクタ挿入方向の端部で係止する。具体的には、ハウジング４は、内周壁４ａと、外周壁４ｂと、内周壁４ａと外周壁４ｂとの間に設けられる空間部４ｃと、内周壁４ａと電線２の外周面との間に設けられる空間部４ｄとを含んで構成される。内周壁４ａは、コネクタ抜去方向の端部がリアホルダ３の空間部３ａに収容され、本体部３Ａの係止爪に係止孔が係止される。外周壁４ｂは、内周面と内接するシールドシェル５を保持する。空間部４ｃは、リアホルダ３の本体部３Ａの一部とシールドシェル５が収容される。空間部４ｄは、リアホルダ３の本体部３Ａの一部と、後述するゴム栓９と、端子を含む電線２の一部が収容される。
【００２０】
シールドシェル５は、金属等の導電性材料で筒状に成形されたものである。シールドシェル５は、内側に端子を含む電線２の一部とゴム栓９とが収容される。シールドシェル５は、コネクタ挿入方向の一部がハウジング４に埋設されている。シールドシェル５は、コネクタ抜去方向の端部の内周側にリアホルダ３の本体部３Ａが配置される。本実施形態におけるシールドシェル５は、内側に端子を含む電線２の一部が収容され、かつ、コネクタ挿入方向側の一部がハウジング４に埋設されると共に、コネクタ挿入方向と逆向きのコネクタ抜去方向の内周側にリアホルダ３の一部が配置される。
【００２１】
編組体６は、金属等の導電性材料で筒状に編み込まれたものである。編組体６は、内側に端子を含む電線２の一部が配置され、かつ、シールドシェル５に対して電気的に接続される。編組体６は、コネクタ挿入方向の端部の内周面とシールドシェル５のコネクタ抜去方向の端部の外周面とが接触して電気的に接続された接続部１０を有する。本実施形態における編組体６は、２本の電線２を被覆し、かつ、コネクタ挿入方向の端部が接続部１０に達するまでにリアホルダ３の傾斜面３ｂを覆うように配置される。
【００２２】
シールドリング７は、円環状の金属製メタルタイまたは圧着リングで構成される。シールドリング７は、シールドシェル５と編組体６とが接続する接続部１０を外周側から縮径方向に固定する。
【００２３】
テープ８は、絶縁性があるブチルゴム製の自己融着性テープで構成される。テープ８は、ハウジング４およびシールドシェル５の内側への水の浸入を抑える止水部材である。本実施形態におけるテープ８は、編組体６に、少なくとも突出部３Ｂのコネクタ抜去方向の端部から接続部１０までの間で覆うように螺旋状に巻き付けられている。テープ８は、作業者の手によって、例えばハーフラップ巻きにされる。
【００２４】
ゴム栓９は、ゴムやエラストマ等の弾性変形自在な弾性材料で構成される。ゴム栓９は、電線２を挿通状態で保持する。ゴム栓９は、電線２を挿通させた状態でハウジング４の空間部４ｃに挿入される。ゴム栓９は、空間部４ｃに挿入されることで、複数のリップが形成された外周面がハウジング４の内周壁４ａに密着し、かつ、内周面が電線２の外周面に密着することで、電線２に沿って端子側すなわちコネクタ挿入方向側へ浸水を防止する止水部材として機能する。
【００２５】
上記実施形態に係るシールドコネクタ１の止水構造１００では、テープ８が、シールドコネクタ１における電線２の出口部を覆うように螺旋状に巻き付けられる。シールドコネクタ１における電線２の出口部は、ハウジング４の後端から電線２までの範囲が含まれ、少なくともリアホルダ３のコネクタ抜去方向の端部から接続部１０までの間が含まれる。つまり、シールドコネクタ１の止水構造１００では、テープ８が、編組体６に、少なくともリアホルダ３のコネクタ抜去方向の端部から、シールドシェル５と編組体６とが接続する接続部１０までの間で覆うように螺旋状に巻き付けられる。これにより、シールドコネクタ１における電線２の出口部にゴム製ブーツを被せた場合と同様の防水効果を得ることができる。この結果、ゴム製ブーツの開口部を広げてシールドコネクタ１に組み付ける作業を行うことなく、止水部材を組み付けることが可能となり、止水部材の組み付け作業性を向上させることができる。
【００２６】
また、上記実施形態に係るシールドコネクタ１の止水構造１００では、リアホルダ３が、コネクタ抜去方向の端部からシールドシェル５のコネクタ抜去方向の端部に向かって拡がるように傾斜する傾斜面３ｂを有する。これにより、シールドコネクタ１にテープ８を巻き付ける際に、空間上ではなく、安定した傾斜面３ｂ上の編組体６に巻き付けることができるので、止水部材の組み付け作業性を向上させることができる。
【００２７】
また、上記実施形態に係るシールドコネクタ１の止水構造１００において、リアホルダ３は、本体部３Ａのコネクタ抜去方向の端部３ｄが傾斜面３ｂのコネクタ挿入方向の端部３ｅより縮径方向に位置するように形成される。すなわち、リアホルダ３は、本体部３Ａのコネクタ抜去方向の端部３ｄと傾斜面３ｂのコネクタ挿入方向の端部３ｅとの間に、周方向に一周するように段差３ｆが形成される。これにより、例えば傾斜面３ｂ上でのテープ８の巻き付け作業時に編組体６がコネクタ抜去方向側に引っ張られても、編組体６上のシールドリング７が段差３ｆに当接してコネクタ抜去方向に抜け落ちることを防止することができる。さらに、テープ８の巻き付け作業時に編組体６が引っ張られることでシールドリング７の角部が編組体６に引っかかって破れてしまうことを防止することができる。
【００２８】
以上説明したシールドコネクタ１の止水構造１００は、一方の端末に端子が圧着された少なくとも１つの電線２と、電線２を挿通状態で保持するリアホルダ３と、内側に電線２を保持し、かつ、リアホルダ３をコネクタ挿入方向の端部で係止するハウジング４と、内側に電線２の一部が収容され、かつ、コネクタ挿入方向側の一部がハウジング４に埋設されると共に、コネクタ挿入方向と逆向きのコネクタ抜去方向の内周側にリアホルダ３の一部が収容されるシールドシェル５と、内側に電線２の一部が収容され、かつ、シールドシェル５に対して電気的に接続される編組体６と、シールドシェル５と編組体６とが接続する接続部１０を外周側から縮径方向に固定するシールドリング７と、ハウジング４およびシールドシェル５の内側への水の浸入を抑えるテープ８とを備える。リアホルダ３は、シールドシェル５のコネクタ抜去方向の端部の内周面と対向する位置に配置される本体部３Ａと、本体部３Ａからコネクタ抜去方向に電線２に沿って、電線２と編組体６との間を突出するように形成される突出部３Ｂとを有する。編組体６は、コネクタ挿入方向の端部が接続部１０に達するまでに突出部３Ｂの外周面である傾斜面３ｂを覆うように配置される。テープ８は、編組体６に、少なくとも突出部３Ｂのコネクタ抜去方向の端部から接続部１０までの間で覆うように螺旋状に巻き付けられる。これにより、シールドコネクタ１における電線２の出口部にゴム製ブーツを被せた場合と同様の防水効果を得ることができる。この結果、ゴム製ブーツの開口部を広げてシールドコネクタ１に組み付ける作業を行うことなく、止水部材を組み付けることが可能となり、止水部材の組み付け作業性を向上させることができる。
【００２９】
また、以上説明したシールドコネクタ１の止水構造１００によれば、ゴム製ブーツを外周側から縮径方向に固定するためのシールドリングが不要となるので、部品点数を削減することが可能となる。
【００３０】
また、以上説明したシールドコネクタ１の止水構造１００は、リアホルダ３が、突出部３Ｂの外周面として、突出部３Ｂのコネクタ抜去方向の端部からコネクタ挿入方向に向かって拡がるように傾斜する傾斜面３ｂを有する。これにより、シールドコネクタ１にテープ８を巻き付ける際に、空間上ではなく、安定した傾斜面３ｂ上の編組体６に巻き付けることができるので、止水部材の組み付け作業性を向上させることができる。
【００３１】
また、以上説明したシールドコネクタ１の止水構造１００は、リアホルダ３が、本体部３Ａのコネクタ抜去方向の端部３ｄが傾斜面３ｂのコネクタ挿入方向の端部３ｅより縮径方向に位置するように形成される。シールドリング７は、傾斜面３ｂのコネクタ挿入方向の端部３ｅからコネクタ挿入方向側に配置される。これにより、例えば傾斜面３ｂ上でのテープ８の巻き付け作業時に編組体６がコネクタ抜去方向側に引っ張られても、編組体６上のシールドリング７が傾斜面３ｂのコネクタ挿入方向の端部３ｅ側に当接してコネクタ抜去方向に抜け落ちることを防止することができる。さらに、テープ８の巻き付け作業時に編組体６が引っ張られることでシールドリング７の角部が編組体６に引っかかって破れてしまうことを防止することができる。
【００３２】
［変形例］
なお、以上の説明では、シールドコネクタ１の止水構造１００は、多芯シールドケーブルが使用されているが、これに限定されるものではなく、短芯シールドケーブルであってもよい。
【００３３】
また、以上の説明では、シールドコネクタ１の止水構造１００は、雄コネクタ２００に適用した場合について説明したが、雌コネクタ３００に適用してもよい。なお、雄コネクタ２００が接続する相手側部品は、雌コネクタ３００に限定されず、例えば電子機器等であってもよい。
【００３４】
また、以上の説明では、リアホルダ３は、傾斜面３ｂと突出部３Ｂの内周面との間に空間（空洞）が設けられている構造であってもよい。また、リアホルダ３は、電線２を電線保持孔３ｃに挿通状態にさせるために、コネクタ挿抜方向と直交する方向であって２本の電線２の配置方向と直交する方向に分割する構造であってもよい。
【符号の説明】
【００３５】
１  シールドコネクタ
２  電線
３  リアホルダ
３Ａ  本体部
３Ｂ  突出部
３ａ  空間部
３ｂ  傾斜面
３ｃ  電線保持孔
４  ハウジング
５  シールドシェル
６  編組体
７  シールドリング
８  テープ
９  ゴム栓
１０  接続部
１００  止水構造
２００  雄コネクタ
３００  雌コネクタ
【図１】
2018055800.tif 000003
【図２】
2018055800.tif 000004